(57)【要約】  本発明は、主に飲料用に意図した容器のプラスチック製端部閉鎖体に関する。該端部閉鎖体は、容器に密着させる本体と、出入穴を被覆するために更に使用可能な開封装置とから成る。本発明によれば、該端部閉鎖体は、本体（１）に出入穴（３）を有し、該出入穴（３）を最初に開封するまで弁（５）を用いて密閉し、該弁（５）には穴を有し、該穴の周りには穴面に略垂直に、少なくとも２つのラッチ（７）を存在させ、該ラッチ（７）を回転可能に取付穴（４）に端部閉鎖体内側から取付け、つまみ（６）と連動させ、該つまみ（６）には筒状要素（９）で終端するアーム（１３）を有し、該筒状要素（９）には少なくともその側面に１つの担部（１０）を有し、端部閉鎖体の外側から取付穴（４）に回転可能に取付ける。弁（５）及びつまみ（６）を、プラスチック箔（１１）を用いて封着及び固定する。開封後、出入穴を弁（５）を使用して、衛生カバー（１９）で口接触域を再び被覆できる。  【選択図】図２
2010507541.tif 000002
【特許請求の範囲】
【請求項１】
主に飲料用に意図する容器の端部閉鎖体で、前記容器に密着させる本体と、開口部を被覆するために更に使用可能な開封装置とから構成する該端部閉鎖体であって、本体（１）には出入穴（３）を有し、該出入穴（３）を最初に開封するまで弁（５）を用いて密閉し、該弁（５）には穴を有し、該穴の周りに、穴面に略垂直に、少なくとも２つのラッチ（７）を存在させ、該ラッチ（７）を回転可能に取付穴（４）に前記端部閉鎖体内側から取付け、つまみ（６）と連動させ、該つまみ（６）には筒状要素（９）で終端するアーム（１３）を有し、該筒状要素（９）には少なくともその側面に１つの担部（１０）を有し、該筒状要素（９）を前記端部閉鎖体の外側から取付穴（４）に回転可能に取付け、それにより前記弁（５）及び前記つまみ（６）を、前記端部閉鎖体の内側から、プラスチック箔（１１）を用いて封着及び固定し、該プラスチック箔（１１）には、筒状要素（９）の基部面積より狭い面積の穴を存在させ、該プラスチック箔（１１）を、前記弁（５）の縁部に沿って前記端部閉鎖体の内面に、及び前記箔（１１）の穴（１２）の縁部に沿って前記筒状要素（９）の基部の表面に、取着すること、を特徴とする端部閉鎖体。
【請求項２】
前記端部閉鎖体の前記本体（１）の内側面（２）が、ドーム形状を有すること、を特徴とする請求項１に記載の端部閉鎖体。
【請求項３】
前記弁（５）の平坦部分を、円形部分に近接する形状とすること、を特徴とする請求項１又は２に記載の端部閉鎖体。
【請求項４】
前記ラッチ（７）の反対側の前記弁（５）の前記表面が、前記弁の縁円弧の弦に沿って走る共通縁部（１５）を有する２つの平面（１７及び１８）から成ること、を特徴とする請求項３に記載の端部閉鎖体。
【請求項５】
ラッチ（７）にはフランジ（８）を有すること、を特徴とする請求項１に記載の端部閉鎖体。
【請求項６】
各ラッチの横断面が、中空円筒部分の横断面形状を有すること、を特徴とする請求項１に記載の端部閉鎖体。
【請求項７】
前記端部閉鎖体は、その内側面（２）に、前記箔を取着する箇所で、溝（１６）を有すること、を特徴とする請求項１に記載の端部閉鎖体。
【請求項８】
前記箔（１１）を、前記端部閉鎖体の本体（１）の内側面（２）に封着すること、を特徴とする請求項１に記載の端部閉鎖体。
【請求項９】
前記取付穴（４）を、前記端部閉鎖体の本体（１）の中心に開穴すること、を特徴とする請求項１に記載の端部閉鎖体。
【請求項１０】
前記端部閉鎖体の外面に対向する、前記つまみ（１３）の前記アームの前記表面は、円形部分に近接する形状を有し、衛生カバー（１９）としての機能を果たすこと、を特徴とする請求項１に記載の端部閉鎖体。
【請求項１１】
前記衛生カバー（１９）を、前記つまみ（６）の前記アーム（１３）の穴（２０）に、緊密に嵌入させること、を特徴とする請求項１乃至９のいずれかに記載の端部閉鎖体。
【請求項１２】
前記端部閉鎖体には、スナップ式衛生カバー（１９）を有すること、を特徴とする請求項１乃至９のいずれかに記載の端部閉鎖体。
【発明の詳細な説明】
【技術分野】
【０００１】
本発明は、主に飲料用に意図した容器のプラスチック製端部閉鎖体に関する。本発明により、容器を最初に開封するまで確実に密閉する、及び本発明を使用して開口部を被覆してもよい。
【背景技術】
【０００２】
こうした端部閉鎖体については、容器、特に指で開缶するプルタブを有する蓋で密閉した飲料缶、に関する特許出願第ＰＣＴ／ＤＥ９７／０２０６１（ＷＯ  ９８／１２１１８）から知られている。この容器には、必要な間だけプルタブ開口部を再閉鎖可能にする回転可能な蓋要素も備えている。
【０００３】
特に飲料缶用の再閉鎖可能な蓋として、国際特許出願第ＰＣＴ／ＥＰ２００３／０１４６７５（ＷＯ  ２００４／０５６６６７）も知られている。この解決手段では、蓋には、所定のスコアラインに沿って破れる切片部分及び蓋壁の上へ回転可能に取付けた指タブを備えている。指タブには、捩れ自在部分及びグリップ下面に平坦な閉鎖体取着部を装着し、それにより開口部の再閉鎖を可能にしている。
【発明の概要】
【０００４】
本端部閉鎖体は、容器に密着させる本体と、使用後に開口部を更に被覆可能にする開封装置とから成る。本発明は端部閉鎖体に関し、該端部閉鎖体は、本体には出入穴を有し、該出入穴を最初に開封するまで弁を用いて密閉し、該弁には穴を有し、該穴の周りに、穴面に略垂直に、少なくとも２つのラッチを存在させ、該ラッチを回転可能に取付穴に端部閉鎖体内側から取付け、つまみと連動させ、該つまみには筒状要素で終端するアームを有し、該筒状要素には少なくともその側面に１つの担部を有し、該筒状要素を端部閉鎖体の外側から取付穴に回転可能に取付け、それにより弁及びつまみを、端部閉鎖体の内側から、プラスチック箔を用いて封着及び固定し、該プラスチック箔には、筒状要素の基部面積より狭い面積の穴を存在させ、該プラスチック箔を、弁の縁部に沿って端部閉鎖体の内面に、及び箔の穴の縁部に沿って筒状要素の基部の表面に、取着すること、を特徴とする。端部閉鎖体の本体を、好適にはドーム形状とし、弁の平坦部分を円形部分に近接する形状とする。
【０００５】
ラッチの反対側の弁表面は、該弁の縁円弧の弦に沿って走る共通縁部を有する２つの平面から成る。各ラッチは、フランジを有し、中空円筒部分の横断面形状をした横断面を有する。
【０００６】
端部閉鎖体の内側面には、好適には溝を有し、該溝は、弁が初期位置にある際の弁の縁部周りに走らせる。封着用箔をこの溝に封入する。好適には、取付穴を、端部閉鎖体の本体中心に設ける。
【０００７】
更に、端部閉鎖体には、口接触域を保護する衛生カバーを装着する。こうした衛生保護を、つまみのアーム表面で提供してもよく、該表面は端部閉鎖体の外面と対向しており、円形部分に近接する形状とする。或は衛生保護を、つまみのアームにある穴に緊密に嵌入した保護カバーにより、或は、つまみの筒状要素にスナップ結合させる取外可能な被せ式の衛生カバーにより、提供してもよい。
【０００８】
本発明によれば、端部閉鎖体により、炭酸飲料で満たした容器内部で発生する高圧で確実に密閉し、該端部閉鎖体が容器内部の高圧によって変形した場合でも、該端部閉鎖体は、簡便な容器の開封を可能にする装置としての機能を果たす。一旦開封すると、弁を使用して、穴を再び被覆して、飲料を汚染物質から保護でき、更なる衛生カバーにより口接触域を保護できる。
【図面の簡単な説明】
【０００９】
【図１】閉位置での端部閉鎖体を-上から視認して-これを示す。
【図２】端部閉鎖体の断面図である。
【図３】閉位置での端部閉鎖体-下から視認。
【図４】弁及びつまみを配設する前の、上から視認した端部閉鎖体本体。
【図５】弁及びつまみを配設する前の、下から視認した端部閉鎖体本体。
【図６】つまみの断面図。
【図７】上から視認したつまみ。
【図８】弁の断面図。
【図９】弁-上から視認。
【図１０】プラスチック箔。
【図１１】下から視認した開位置での端部閉鎖体。
【図１２】つまみと衛生カバーを単位系としたもの-上から視認。
【図１３】つまみと衛生カバーを単位系としたものの断面図。
【図１４】アームに衛生カバーを取付けたつまみ。
【図１５】アームに衛生カバーを取付けたつまみの断面図。
【図１６】スナップ式衛生カバー付つまみ-上から視認。
【図１７】スナップ式衛生カバー付つまみの断面図。
【発明を実施するための形態】
【００１０】
次に、本発明について例証として、添付図を参照して説明する。
【００１１】
一例として示す端部閉鎖体は、内側面２がドーム形をした静止体１から成る。該静止体１には、出入穴３と、弁５及びつまみ６を含む端部閉鎖体の可動部品を取付けるのに使用する中心に配置した取付穴４とを有する。弁５には穴を有するが、該穴の周囲には、穴面に略垂直に、フランジ８で終端するラッチ７を４つ存在させ、該ラッチを、取付穴４に端部閉鎖体の内側から回転可能に取付ける。弁５の平坦部分を、円形部分に近接する形状とし、弁表面は、ラッチ７の反対側で、２つの平面１７及び１８から成り、該両平面には弁５の縁円弧の弦に沿って走る共通縁部１５を有する。ラッチ７は、筒状要素９で終端するアーム１３を装着したつまみ６と連動するが、該筒状要素９には、その側面に２つの担部１０を備え、該筒状要素９を取付穴４に端部閉鎖体の静止体１の外側に回転可能に取付ける。弁５を、プラスチック箔１１を用いて、端部閉鎖体の内側面に封着し、固定するが、該プラスチック箔１１には、筒状要素９の基部１４の面積より狭い面積の穴１２を有する。静止体１の内側面２には溝１６を有し、該溝１６にプラスチック箔１１を封着するが、該溝１６は、弁が初期位置にある際の弁５の縁部に沿って走らせる。また該箔を、筒状要素９の基部１４の面に、プラスチック箔１１の穴１２の縁部に沿って封着する。更に、端部閉鎖体に、口が接触する領域の衛生カバー１９を装着する。
【００１２】
衛生保護を、つまみのアーム１３の表面により提供するが、該アーム面は端部閉鎖体の外面と対向しており、円形部分に近接する形状を有する（図１３）。別の例では、カバー１９をつまみのアーム１３の穴２０に固着する（図１４）。  
【００１３】
衛生カバー１９を、つまみ６の筒状要素９の最上部にスナップ結合する着脱可能なシース状とすることもできる。
【００１４】
容器を開封するには、つまみ６のアーム１３を抗力に打ち勝ちながら、出入穴３を完全に被覆しない状態（図１１）まで、回転させなければならない。アーム１３を回転させて戻すことで、カバー１９で穴３と口接触域を被覆できる。
【符号の説明】
【００１５】
１                    静止体
３                    出入穴
４                    取付穴
５                    弁
６                    つまみ
７                    ラッチ
８                    フランジ
９                    筒状要素
１０                  担部
１１                  プラスチック箔
１２、２０          穴
１３                  アーム
１６                  溝
１９                  保護カバー
【図１】
2010507541.tif 000003
【図２】
2010507541.tif 000004
【図３】
2010507541.tif 000005
【図４】
2010507541.tif 000006
【図５】
2010507541.tif 000007
【図６】
2010507541.tif 000008
【図７】
2010507541.tif 000009
【図８】
2010507541.tif 000010
【図９】
2010507541.tif 000011
【図１０】
2010507541.tif 000012
【図１１】
2010507541.tif 000013
【図１２】
2010507541.tif 000014
【図１３】
2010507541.tif 000015
【図１４】
2010507541.tif 000016
【図１５】
2010507541.tif 000017
【図１６】
2010507541.tif 000018
【図１７】
2010507541.tif 000019
【国際調査報告】
2010507541.tif 000020
2010507541.tif 000021
2010507541.tif 000022